【手続補正書】
【提出日】平成17年11月17日(2005.11.17)
【手続補正１】
【補正対象書類名】明細書
【補正対象項目名】請求項１
【補正方法】変更
【補正の内容】
【請求項１】  固定的または半固定的に据え置かれた本体装置で受信した番組データを、持ち運び可能な携帯装置で再生してユーザに提供するような携帯視聴システムであって、
前記本体装置は、
放送によって提供される番組データを受信する受信手段と、
前記受信手段によって受信された番組データを蓄積する一次蓄積手段と、
前記一次蓄積手段に蓄積された番組データを構成する各番組コンポーネントに対して転送優先度を設定する転送優先度設定手段と、
前記一次蓄積手段に蓄積された番組データの各番組コンポーネントを、前記設定された転送優先度の順序に従って時間軸方向に分散させながら前記携帯装置に転送する転送手段とを備え、
前記携帯装置は、
前記転送手段から分散して転送されてくる番組コンポーネントを蓄積する二次蓄積手段と、
前記二次蓄積手段に蓄積された番組コンポーネントから再生したい番組の番組データを再構築する再構築手段と、
前記再構築手段により再構築された番組データを再生する再生手段とを備える、携帯視聴システム。
【手続補正２】
【補正対象書類名】明細書
【補正対象項目名】請求項１２
【補正方法】変更
【補正の内容】
【請求項１２】  前記本体装置は、
前記携帯装置が電気的に接続可能に装着される装着手段と、
前記装着手段に前記携帯装置が装着されたとき、当該携帯装置に対して充電のための電力を供給する充電手段とをさらに備え、
前記携帯装置は、前記充電手段から供給される電力によって充電されるバッテリをさらに備える、請求項１１に記載の携帯視聴システム。
【手続補正３】
【補正対象書類名】明細書
【補正対象項目名】請求項１６
【補正方法】変更
【補正の内容】
【請求項１６】  固定的または半固定的に据え置かれた状態で使用され、受信した番組データを持ち運び可能な携帯装置に転送するための本体装置であって、
放送によって提供される番組データを受信する受信手段と、
前記受信手段によって受信された番組データを蓄積する一次蓄積手段と、
前記一次蓄積手段に蓄積された番組データを構成する各番組コンポーネントに対して転送優先度を設定する転送優先度設定手段と、
前記一次蓄積手段に蓄積された番組データの各番組コンポーネントを、前記設定された転送優先度の順序に従って時間軸方向に分散させながら前記携帯装置に転送する転送手段とを備える、本体装置。
【手続補正４】
【補正対象書類名】明細書
【補正対象項目名】０００６
【補正方法】変更
【補正の内容】
【０００６】
図１８（ａ）は、放送される番組を構成するデータの時間的遷移を示している。図１８（ａ）において、横軸は放送における時間経過を、縦軸は放送におけるビットレートを、それぞれ示している。すなわち、図１８（ａ）は、時刻ｔ０から時刻ｔ１の間には番組１が、時刻ｔ１から時刻ｔ２にの間には番組２が、時刻ｔ２から時刻ｔ３の間には番組３が、それぞれ放送されることを示している。また、番組１、番組２および番組３は、いずれも音声、字幕、映像を番組コンポーネント（番組を構成するモノメディア）として持つ。簡単のため、番組２の放送時間長（ｔ２−ｔ１）と、番組３の放送時間長（ｔ３−ｔ２）とは等しく、番組１の放送時間長（ｔ１−ｔ０）は、番組２（または番組３）の放送時間長のちょうど２倍であるとする。また、各番組コンポーネントのビットレートは、番組によらず一定で、字幕のビットレートｂｃと、音声のビットレートｂａと、映像のビットレートｂｖとの比は、１：２：４であるとする。
【手続補正５】
【補正対象書類名】明細書
【補正対象項目名】００１１
【補正方法】変更
【補正の内容】
【００１１】
第１の発明は、固定的または半固定的に据え置かれた本体装置で受信した番組データを、持ち運び可能な携帯装置で再生してユーザに提供するような携帯視聴システムであって、
本体装置は、
放送によって提供される番組データを受信する受信手段と、
受信手段によって受信された番組データを蓄積する一次蓄積手段と、
一次蓄積手段に蓄積された番組データを構成する各番組コンポーネントに対して転送優先度を設定する転送優先度設定手段と、
一次蓄積手段に蓄積された番組データの各番組コンポーネントを、設定された転送優先度の順序に従って時間軸方向に分散させながら携帯装置に転送する転送手段とを備え、
携帯装置は、
転送手段から分散して転送されてくる番組コンポーネントを蓄積する二次蓄積手段と、
二次蓄積手段に蓄積された番組コンポーネントから再生したい番組の番組データを再構築する再構築手段と、
再構築手段により再構築された番組データを再生する再生手段とを備えている。
【手続補正６】
【補正対象書類名】明細書
【補正対象項目名】００２６
【補正方法】変更
【補正の内容】
【００２６】
上記のように、第８の発明によれば、データが途中までしか届かなかったため、その再生が途中で途切れた番組コンポーネントについては、他の番組コンポーネントを代替的に再生するようにしているので、ユーザは、最後まで番組を鑑賞することができる。
【手続補正７】
【補正対象書類名】明細書
【補正対象項目名】００３３
【補正方法】変更
【補正の内容】
【００３３】
第１２の発明は、第１１の発明に従属する発明であって、
本体装置は、
携帯装置が電気的に接続可能に装着される装着手段と、
装着手段に携帯装置が装着されたとき、当該携帯装置に対して充電のための電力を供給する充電手段とをさらに備え、
携帯装置は、充電手段から供給される電力によって充電されるバッテリをさらに備えている。
【手続補正８】
【補正対象書類名】明細書
【補正対象項目名】００３９
【補正方法】変更
【補正の内容】
【００３９】
第１６の発明は、固定的または半固定的に据え置かれた状態で使用され、受信した番組データを持ち運び可能な携帯装置に転送するための本体装置であって、  放送によって提供される番組データを受信する受信手段と、
受信手段によって受信された番組データを蓄積する一次蓄積手段と、
一次蓄積手段に蓄積された番組データを構成する各番組コンポーネントに対して転送優先度を設定する転送優先度設定手段と、
一次蓄積手段に蓄積された番組データの各番組コンポーネントを、設定された転送優先度の順序に従って時間軸方向に分散させながら携帯装置に転送する転送手段とを備えている。
【手続補正９】
【補正対象書類名】明細書
【補正対象項目名】００７１
【補正方法】変更
【補正の内容】
【００７１】
蓄積情報生成部１０５は、多重分離部１０３から入力される映像情報および音声情報を、蓄積部１０７へ蓄積するのに適した形式に変換し、蓄積管理部１０６に出力する。また、蓄積情報生成部１０５は、必要に応じて、多重分離部１０３から入力した映像情報に基づき、詳細映像情報と、非詳細映像情報とを生成する。非詳細映像情報は、詳細映像情報よりも画質は落ちるが、データ量は少なくなっている。従って、非詳細映像情報の方が詳細映像情報よりも短時間で転送処理が完了する。
【手続補正１０】
【補正対象書類名】明細書
【補正対象項目名】００９７
【補正方法】変更
【補正の内容】
【００９７】
図５は、番組コンポーネントの各種別に対する転送優先度のデフォルト値を規定した転送優先度テーブルを示している。この図５の転送優先度テーブルは、例えばメモリ１１２に格納される。図５では、一例として、種別Ｃ、Ａ、Ｄ、Ｖに対し、それぞれ、転送優先度のデフォルト値として、１、２、３、４が規定されている。また、図５の転送優先度テーブルでは、各種別に対してクラスが定義されている。ここで言うクラスとは、番組コンポーネントの種別を分類したものである。好ましくは、代替性のあるデータ同士が同一のクラスに分類される。例えば、音声は字幕によって代替させることができ、詳細映像はダイジェスト映像によって代替させることができる。上記ステップＳ２０３では、ＣＰＵ１１３は、図５の転送優先度テーブルを参照して、番組コンポーネントのデフォルトの転送優先度を図２の蓄積リストに設定することになる。
【手続補正１１】
【補正対象書類名】明細書
【補正対象項目名】０１１８
【補正方法】変更
【補正の内容】
【０１１８】
上記ステップＳ３０６において、ＣＰＵ２０９は、図６の受取リストに行を追加し、追加した行の属性「サイズ」、「ｅｖｅｎｔ＿ｉｄ」、「種別」に、ステップＳ３０３で得た対応する値を代入する。次に、ＣＰＵ２０９は、追加した行の属性「オフセット」に、変数ｃｕｒｒｅｎｔ＿ｏｆｆｓｅｔの値を代入する（ステップＳ３０７）。次に、ＣＰＵ２０９は、変数ｃｕｒｒｅｎｔ＿ｏｆｆｓｅｔにステップＳ３０３で得た「サイズ」の値を加算する（ステップＳ３０８）。次に、ＣＰＵ２０９は、追加した行の属性「受取順序」に、変数ｓｅｎｄ＿ｃｏｕｎｔの値を代入する（ステップＳ３０９）。次に、ＣＰＵ２０９は、変数ｓｅｎｄ＿ｃｏｕｎｔの値を１だけインクリメントする（ステップＳ３１０）。次に、ＣＰＵ２０９は、本体装置１から転送されてくる番組コンポーネントの本体データを受け取り、蓄積部２０３に格納する（ステップＳ３１１）。次に、ＣＰＵ２０９は、属性「再生時間長」を設定する（ステップＳ３１２）。なお、番組コンポーネントの本体データ自身に、単位提示時間あたりのデータビット数であるビットレートの値が付加情報として格納されているものとする。このとき、ステップＳ３０３で受け取った「サイズ」の値を、上記のようにして得たビットレートで除算すると、再生時間長の値が換算により得られる。なお、番組の時間長の値を、「サイズ」などの場合と同様に、本体装置１から直接、データとして通知するようにしてもよい。次に、ＣＰＵ２０９は、受け取りが何らかの原因で途中で中止されたか否かを判断し（ステップＳ３１３）、途中で中止された場合は、ステップＳ３１４へ進む。それ以外の場合、ＣＰＵ２０９は、ステップＳ３０３の動作に戻る。受け取りの中断は、例えば、ユーザにより突然本体装置１と携帯装置２の接続が外された場合等が想定される。
【手続補正１２】
【補正対象書類名】明細書
【補正対象項目名】０１２１
【補正方法】変更
【補正の内容】
【０１２１】
まず、番組再生時に使用するクラステーブルについて説明する。図９は、クラステーブルの一例を示している。このクラステーブルは、例えばメモリ２０８内に格納され、ＣＰＵ２０９によって自由に参照され得る。図９に示すように、クラステーブルの各行は、番組コンポーネントの種別に対応しており、また各行は、「種別」、「クラス」、「提示優先度」の３つの属性を持っている。
【手続補正１３】
【補正対象書類名】明細書
【補正対象項目名】０１２３
【補正方法】変更
【補正の内容】
【０１２３】
図８を参照して、ＣＰＵ２０９は、まず、番組の表示および選択動作を実行する（ステップＳ４０１）。すなわち、ＣＰＵ２０９は、図６の受取リストを参照することにより、蓄積部２０３に蓄積されている番組の一覧表を作成し、作成した一覧表をディスプレイ２０５に表示させる。そして、ＣＰＵ２０９は、表示された一覧表の中から、再生したい番組をユーザによって選択させる。番組の選択は、ユーザ入出力部２０７を介して行われる。なお、ディスプレイ２０５に表示する番組の一覧表に番組名も含めたい場合は、本体装置１から携帯装置２に対して番組のデータを送る際に、各番組の番組名と共に、各番組名と「ｅｖｅｎｔ＿ｉｄ」との対応関係を示すデータも送るようにすればよい。次に、ＣＰＵ２０９は、ステップＳ４０１で選択された再生すべき番組に関し、受取リストに含まれる番組コンポーネントを全て抽出する（ステップＳ４０２）。次に、ＣＰＵ２０９は、ステップＳ４０２の抽出結果を基に、選択された番組を構成する番組コンポーネントの一覧表を作成し、作成した一覧表をディスプレイ２０５に表示させる（ステップＳ４０３）。応じて、ユーザは、表示された当該一覧表の中から、再生すべき１つまたは複数の番組コンポーネントを選択する。番組コンポーネントの選択は、ユーザ入出力部２０７を介して行われる。次に、ＣＰＵ２０９は、ステップＳ４０３で選択された全番組コンポーネントが同時に再生されるように準備する（ステップＳ４０４）。各番組コンポーネントを同時に再生することで、例えば、映像に含まれる人の唇の動きと喋っている音声との同期であるリップシンクを達成できる。
【手続補正１４】
【補正対象書類名】明細書
【補正対象項目名】０１２９
【補正方法】変更
【補正の内容】
【０１２９】
図１０（ａ）は、放送される番組を構成するデータの時間的遷移を示している。図１０（ａ）において、横軸は放送における時間経過を、縦軸は放送におけるビットレートを、それぞれ示している。すなわち、図１０（ａ）は、時刻ｔ０から時刻ｔ１の間には番組１が、時刻ｔ１から時刻ｔ２にの間には番組２が、時刻ｔ２から時刻ｔ３の間には番組３が、それぞれ放送されることを示している。また、番組１、番組２および番組３は、いずれも音声、字幕、映像を番組コンポーネント（番組を構成するモノメディア）として持つ。簡単のため、番組２の放送時間長（ｔ２−ｔ１）と、番組３の放送時間長（ｔ３−ｔ２）とは等しく、番組１の放送時間長（ｔ１−ｔ０）は、番組２（または番組３）の放送時間長のちょうど２倍であるとする。また、番組コンポーネントそれぞれのビットレートは、番組によらず一定で、字幕のビットレートｂｃと、音声のビットレートｂａと、映像のビットレートｂｖとの比は、１：２：４であるとする。
【手続補正１５】
【補正対象書類名】明細書
【補正対象項目名】０１５０
【補正方法】変更
【補正の内容】
【０１５０】
なお、以上説明した各実施形態では、本体装置１に蓄積された全ての番組のデータを携帯装置２に転送するようにしているが、本体装置１に蓄積された番組のデータの中からユーザによって選択された番組のデータのみを携帯装置２に転送するようにしても良い。この場合、本体装置１から携帯装置２対して予めＥＰＧ（電子番組ガイド）データを転送しておき、携帯装置２において、ユーザが番組ガイドを見ながら暇な時間に本体装置１から受け取りたい番組データを前もって指定しておくこともできる。すなわち、本体装置１は、携帯装置２が装着されたとき、携帯装置２で前もって指定された番組を認識し、該当する番組のデータのみを携帯装置２に転送する。